(57)【要約】【課題】本発明は、局所空気調和装置が、冷却動作を行えない場合でも、発熱機器の劣化、故障等が生じることが抑制された空気調和システムを得ることを目的とする。【解決手段】本発明に係る空気調和システム１は、発熱機器が格納された複数の棚４の吸気面を互いに対向させて形成されたコールドアイル８に冷却された空気を供給するアンビエント空気調和装置５と、コールドアイル８に冷却された空気を供給する冷却動作を行い、冷却動作が行えない場合に、コールドアイル８に冷却されていない空気を供給する送風動作を行う局所空気調和装置６と、局所空気調和装置６に吸い込まれる空気の温度を検出する第１温度センサと、を備えたものである。【選択図】図１
2014142106.tif 000002
【特許請求の範囲】
【請求項１】
発熱機器が格納された複数の棚の吸気面を互いに対向させて形成されたコールドアイルに冷却された空気を供給するアンビエント空気調和装置と、
前記コールドアイルに、前記棚の排気面から排出された空気を吸い込んで冷却された空気を供給する冷却動作を行い、前記冷却動作が行えない場合に、該コールドアイルに、前記排気面から排出された空気を吸い込んで冷却されていない空気を供給する送風動作を行う局所空気調和装置と、
前記局所空気調和装置に吸い込まれる空気の温度を検出する第１温度センサと、
前記局所空気調和装置が前記送風動作を行う際に、前記第１温度センサの検出温度に基づいて、前記冷却されていない空気の前記コールドアイルへの供給量を制御する制御装置と、
を備えたことを特徴とする空気調和システム。
【請求項２】
前記制御装置は、前記第１温度センサの検出温度と前記局所空気調和装置の設定温度とに基づいて、前記供給量を制御する、
ことを特徴とする請求項１に記載の空気調和システム。
【請求項３】
前記コールドアイルの空気の温度を検出する第２温度センサを備え、
前記制御装置は、前記第１温度センサの検出温度と前記第２温度センサの検出温度とに基づいて、前記供給量を制御する、
ことを特徴とする請求項１または２に記載の空気調和システム。
【請求項４】
前記第２温度センサは、複数の前記コールドアイルに設けられ、
前記局所空気調和装置は、前記複数のコールドアイルに前記空気を供給し、且つ、該複数のコールドアイルのそれぞれに対応するダンパーを有し、
前記制御装置は、前記ダンパーのそれぞれの開度を、前記第１温度センサの検出温度と、対応する前記コールドアイルに設けられた前記第２温度センサの検出温度と、に基づいて制御することで、前記供給量を制御する、
ことを特徴とする請求項３に記載の空気調和システム。
【請求項５】
発熱機器が格納された複数の棚の吸気面を互いに対向させて形成されたコールドアイルに冷却された空気を供給するアンビエント空気調和装置によって冷却された空気が供給される前記コールドアイルに、前記棚の排気面から排出された空気を吸い込んで冷却された空気を供給する冷却動作を行い、前記冷却動作が行えない場合に、該コールドアイルに、前記排気面から排出された空気を吸い込んで冷却されていない空気を供給する送風動作を行う局所空気調和装置であって、
前記吸い込まれる空気の温度を検出する第１温度センサと、
前記送風動作を行う際に、前記第１温度センサの検出温度に基づいて、前記冷却されていない空気の前記コールドアイルへの供給量を制御する制御装置と、
を備えたことを特徴とする局所空気調和装置。
【請求項６】
発熱機器が格納された複数の棚の吸気面を互いに対向させて形成されたコールドアイルに冷却された空気を供給するアンビエント空気調和装置と、前記コールドアイルに、前記棚の排気面から排出された空気を吸い込んで冷却された空気を供給する冷却動作を行い、前記冷却動作が行えない場合に、該コールドアイルに、前記排気面から排出された空気を吸い込んで冷却されていない空気を供給する送風動作を行う局所空気調和装置と、を備えた空気調和システムの制御方法であって、
前記局所空気調和装置に吸い込まれる空気の温度を取得するステップと、
前記局所空気調和装置が前記送風動作を行う際に、前記取得された局所空気調和装置に吸い込まれる空気の温度に基づいて、前記冷却されていない空気の前記コールドアイルへの供給量を制御するステップと、
を有することを特徴とする空気調和システムの制御方法。
【発明の詳細な説明】
【技術分野】
【０００１】
本発明は、空気調和システムと、その空気調和システムに用いられる局所空気調和装置と、その空気調和システムの制御方法に関する。
【背景技術】
【０００２】
従来の空気調和システムとして、発熱機器（情報通信機器等）が格納された棚（サーバーラック、キャビネット等）が複数設けられ、吸気面同士が対向するように複数の棚が設置されてコールドアイルが形成され、アンビエント空気調和装置及び局所空気調和装置からコールドアイルに冷却された空気が供給されるものがある。棚に格納された発熱機器は、コールドアイルに供給された、アンビエント空気調和装置からの冷却された空気と局所空気調和装置からの冷却された空気とが、棚の吸気面から吸い込まれることで冷却される。棚の吸気面から吸い込まれた空気は、発熱機器によって加熱され（発熱機器を冷却し）、棚の排気面から排出される。排出された空気は、アンビエント空気調和装置と局所空気調和装置とによって冷却され、再びコールドアイルに供給される。
【０００３】
そして、そのような空気調和システムでは、制御装置によって、局所空気調和装置からコールドアイルへの冷却された空気の供給量が制御される。制御装置は、コールドアイルに設けられた温度センサの検出温度が高くなる程、コールドアイルへの冷却された空気の供給量が多くなるように、つまり、送風機の回転数が高くなるように、局所空気調和装置を制御する（例えば、特許文献１を参照。）。
【先行技術文献】
【特許文献】
【０００４】
【特許文献１】特開２００９−２５７７１８号公報（段落［００２４］〜段落［００２６］、図１０）
【発明の概要】
【発明が解決しようとする課題】
【０００５】
従来の空気調和システムでは、局所空気調和装置が、例えば、圧縮機の故障、冷媒配管及び制御線で連結される室外ユニットの停電、断線等によって、冷媒の循環を行えなくなった状態で、つまり、冷却動作を行えなくなった状態で、上述の送風機の回転数の制御を継続した場合に、発熱機器によって加熱された空気が、局所空気調和装置から冷却されずに、コールドアイルに供給される。そして、そのような場合には、コールドアイルの空気の温度が上昇して高温の空気が発熱機器に供給されてしまい、発熱機器の劣化、故障等が生じるという問題点があった。
【０００６】
本発明は、上記のような課題を解決するためになされたものであり、局所空気調和装置が、冷却動作を行えない場合でも、発熱機器の劣化、故障等が生じることが抑制された空気調和システムを得ることを目的とする。また、その空気調和システムに用いられる局所空気調和装置を得ることを目的とする。また、その空気調和システムの制御方法を得ることを目的とする。
【課題を解決するための手段】
【０００７】
本発明に係る空気調和システムは、発熱機器が格納された複数の棚の吸気面を互いに対向させて形成されたコールドアイルに冷却された空気を供給するアンビエント空気調和装置と、前記コールドアイルに、前記棚の排気面から排出された空気を吸い込んで冷却された空気を供給する冷却動作を行い、前記冷却動作が行えない場合に、該コールドアイルに、前記排気面から排出された空気を吸い込んで冷却されていない空気を供給する送風動作を行う局所空気調和装置と、前記局所空気調和装置に吸い込まれる空気の温度を検出する第１温度センサと、前記局所空気調和装置が前記送風動作を行う際に、前記第１温度センサの検出温度に基づいて、前記冷却されていない空気の前記コールドアイルへの供給量を制御する制御装置と、を備えたものである。
【発明の効果】
【０００８】
本発明に係る空気調和システムは、局所空気調和装置に吸い込まれる空気の温度を検出する第１温度センサと、局所空気調和装置が送風動作を行う際に、第１温度センサの検出温度に基づいて、冷却されていない空気のコールドアイルへの供給量を制御する制御装置と、を備えることで、局所空気調和装置が冷却動作を行えなくなった状態で、コールドアイルの空気の温度が上昇することが抑制され、高温の空気が発熱機器に供給されて、発熱機器の劣化、故障等が生じることが抑制される。
【図面の簡単な説明】
【０００９】
【図１】本発明の実施の形態１に係る空気調和システムの、構成を示す図である。
【図２】本発明の実施の形態１に係る空気調和システムの、構成を示す図である。
【図３】本発明の実施の形態１に係る空気調和システムの、冷却動作不能時の送風動作の制御フローを示す図である。
【図４】本発明の実施の形態２に係る空気調和システムの、構成を示す図である。
【図５】本発明の実施の形態２に係る空気調和システムの、冷却動作不能時の送風動作の制御フローを示す図である。
【図６】本発明の実施の形態３に係る空気調和システムの、構成を示す図である。
【図７】本発明の実施の形態３に係る空気調和システムの、冷却動作不能時の送風動作の制御フローを示す図である。
【発明を実施するための形態】
【００１０】
以下、本発明に係る空気調和システムについて、図面を用いて説明する。
なお、以下では、本発明に係る空気調和システムが、棚に格納された情報通信機器を冷却する場合を説明するが、棚に格納された他の発熱機器を冷却してもよい。また、以下では、本発明に係る空気調和システムが、情報通信機器装置室に適用される場合を説明するが、そのような場合に限定されず、例えば、情報通信機器を格納する棚がコンテナ内に設置されたコンテナ型データセンター等に適用されてもよい。また、以下で説明する構成、動作等は、一例であり、本発明に係る空気調和システムは、そのような構成、動作等に限定されない。また、各図において、同一又は類似する部材又は部分には、同一の符号を付している。また、細かい構造については、適宜図示を簡略化又は省略している。また、重複又は類似する説明については、適宜簡略化又は省略している。
【００１１】
実施の形態１．
実施の形態１に係る空気調和システムについて説明する。
＜空気調和システムの構成＞
以下に、実施の形態１に係る空気調和システムの構成について説明する。
図１及び図２は、本発明の実施の形態１に係る空気調和システムの、構成を示す図である。図１及び図２に示されるように、空気調和システム１は、部屋２に適用され、情報通信機器３が格納される棚４に、アンビエント空気調和装置５と局所空気調和装置６とによって冷却された空気を供給するものである。
【００１２】
部屋２には、床パネル２ａによって、二重床空間７が形成される。床パネル２ａの上面には、棚４が設置される。棚４には、情報通信機器３が、棚４の前面を吸気面として機能させ、棚４の背面、上面等を排気面として機能させるように、格納される。棚４は、複数であり、複数列を形成するように設置される。棚４は、吸気面として機能する前面が列毎に同一方向を向くように、設置される。棚４は、その吸気面と、隣接する列の棚４の吸気面と、が対向し、その排気面と、隣接する列の棚４の排気面と、が対向するように、設置される。棚４の吸気面が対向する空間８が、コールドアイルであり、棚４の排気面から空気が排出される空間９が、ホットアイルである。
【００１３】
アンビエント空気調和装置５は、蒸発器５ａと送風機５ｂと吹出温度センサ５ｃと吸込温度センサ５ｄと膨張弁（図示せず）と制御装置（図示せず）とを有する室内ユニットであり、圧縮機、凝縮機等を有する室外ユニット（図示せず）に、冷媒配管及び制御線で連結される。アンビエント空気調和装置５は、部屋２の床パネル２ａの上方空間の空気を吸い込んで冷却し、冷却された空気を、二重床空間７と、床パネル２ａに設けられた開口部と、を介して、コールドアイル８に供給する。なお、アンビエント空気調和装置５は、冷却された空気を、コールドアイル８のみに供給してもよく、コールドアイル８及びホットアイル９に供給してもよく、部屋２の床パネル２ａの上方空間の全域に供給してもよい。また、二重床空間７が設けられず、ダクト等を介して、冷却された空気が供給されてもよい。アンビエント空気調和装置５の制御装置は、例えば、アンビエント空気調和装置５に連結される室外ユニット、部屋２等、アンビエント空気調和装置５以外に設けられてもよい。
【００１４】
局所空気調和装置６は、蒸発器６ａと送風機６ｂと吹出温度センサ６ｃと吸込温度センサ６ｄと膨張弁（図示せず）と制御装置６ｅとを有する室内ユニットであり、圧縮機、凝縮機等を有する室外ユニット（図示せず）に、冷媒配管及び制御線で連結される。局所空気調和装置６は、棚４の近傍に設けられ、ホットアイル９から、棚４の排気面から排出された空気を吸い込んで冷却し、冷却された空気を、ダクト１０を介して、コールドアイル８に供給する。局所空気調和装置６は、例えば、天吊形、ラック形、床置形等である。また、局所空気調和装置６は、ダクト１０を介さずに冷却された空気を供給してもよい。局所空気調和装置６の制御装置６ｅは、例えば、局所空気調和装置６に連結される室外ユニット、部屋２等、局所空気調和装置６以外に設けられてもよい。吸込温度センサ６ｄは、本発明における「第１温度センサ」に相当する。
【００１５】
局所空気調和装置６は、例えば、圧縮機の故障、冷媒配管及び制御線で連結される室外ユニット（図示せず）の停電、断線等によって、冷媒の循環を行えなくなった状態で、つまり、冷却動作を行えなくなった状態で、送風機６ｂを稼働させる、つまり、送風動作を行うことができる。なお、局所空気調和装置６は、例えば、省エネモードで運転するために冷却動作を行えなくなるような場合等、故障、停電、断線以外の要因によって冷却動作を行えなくなった状態で、送風動作を行ってもよい。
【００１６】
＜空気調和システムの動作＞
以下に、実施の形態１に係る空気調和システムの動作について説明する。
（通常動作）
まず、通常動作について説明する。
アンビエント空気調和装置５は、暖気（図１中破線）を部屋２から吸い込み、蒸発器５ａで熱交換を行い、二重床空間７を介して、冷却された空気（図１中二点鎖線）をコールドアイル８に供給する。アンビエント空気調和装置５は、アンビエント空気調和装置５の設定温度と吹出温度センサ５ｃの検出温度と、又は、アンビエント空気調和装置５の設定温度と吸込温度センサ５ｄの検出温度と、に基づいて冷媒回路を制御する。
【００１７】
局所空気調和装置６は、暖気（図１中破線）をホットアイル９から吸い込み、蒸発器６ａで熱交換を行い、ダクト１０を介して、冷却された空気（図１中一点鎖線）をコールドアイル８に供給する。局所空気調和装置６は、局所空気調和装置６の設定温度と吹出温度センサ６ｃの検出温度と、に基づいて冷媒回路を制御する。
【００１８】
（冷却動作不能時の送風動作）
次に、局所空気調和装置６が冷却動作を行えない状態での、局所空気調和装置６の送風動作について説明する。
図３は、本発明の実施の形態１に係る空気調和システムの、冷却動作不能時の送風動作の制御フローを示す図である。図３に示されるように、局所空気調和装置６は、冷却動作が行えなくなると、Ｓ１０１に進み、吸込温度センサ６ｄの検出温度Ｔｉｎと局所空気調和装置６の設定温度Ｔｉｃｍとの偏差ΔＴを演算し、Ｓ１０２に進む。
【００１９】
局所空気調和装置６は、Ｓ１０２において、偏差ΔＴが、予め設定された基準温度Ｘ℃（例えば５℃）を超えるか否かを判定し、超える場合は、Ｓ１０３に進んで送風機６ｂを停止させ、Ｓ１０１に進む。超えない場合は、Ｓ１０４に進んで送風機６ｂを稼働させ、Ｓ１０１に進む。基準温度Ｘ℃は、棚４に格納される情報通信機器３の耐熱温度に応じて設定されるとよい。
【００２０】
＜空気調和システムの作用＞
以下に、実施の形態１に係る空気調和システムの作用について説明する。
空気調和システム１は、局所空気調和装置６が冷却動作を行えない際に、ホットアイル９から局所空気調和装置６に吸い込まれる空気の温度が高い場合には、局所空気調和装置６からコールドアイル８へ冷却されない空気を吹き込まない。そのため、高温の空気がコールドアイル８に供給されて、コールドアイル８の空気の温度が上昇することが抑制され、高温の空気が情報通信機器３に供給されてしまって、情報通信機器３の劣化、故障等が生じることが抑制される。
【００２１】
また、空気調和システム１は、局所空気調和装置６が冷却動作を行えない際に、ホットアイル９から局所空気調和装置６に吸い込まれる空気の温度が低い場合には、局所空気調和装置６からコールドアイル８へ冷却されない空気を吹き込む。そのため、コールドアイル８内の空気の量が減少して、情報通信機器３に供給される空気の量が減少する、つまり、情報通信機器３の放熱量が低下することが抑制され、情報通信機器３の劣化、故障等が生じることが抑制される。
【００２２】
＜変形例＞
空気調和システム１では、局所空気調和装置６が、偏差ΔＴに応じて、送風動作の稼働と停止、つまりＯＮ／ＯＦＦを制御しているが、偏差ΔＴが大きい程、送風機６ｂの回転数が低くなるように、送風動作を制御してもよい。そのような場合には、送風機６ｂの回転数が、連続的に変化されてもよく、階段状に変化されてもよい。
【００２３】
空気調和システム１では、吸込温度センサ６ｄが、局所空気調和装置６の吸込口に設けられているが、例えば、ホットアイル９等、局所空気調和装置６に吸い込まれる空気の温度を検出できる他の位置に設けられてもよい。
【００２４】
実施の形態２．
実施の形態２に係る空気調和システムについて説明する。なお、以下では、実施の形態１に係る空気調和システムと重複又は類似する説明については、適宜簡略化又は省略している。
＜空気調和システムの構成＞
以下に、実施の形態２に係る空気調和システムの構成について説明する。
図４は、本発明の実施の形態２に係る空気調和システムの、構成を示す図である。図４に示されるように、空気調和システム１１は、局所空気調和装置６の吹出温度センサ６ｃに替えて、コールドアイル８の空気の温度を検出するコールドアイル温度センサ１２が設けられる。局所空気調和装置６は、コールドアイル温度センサ１２から、コールドアイル８の空気の温度を取得する。コールドアイル温度センサ１２は、本発明における「第２温度センサ」に相当する。
【００２５】
＜空気調和システムの動作＞
以下に、実施の形態２に係る空気調和システムの動作について説明する。
（通常動作）
まず、通常動作について説明する。
局所空気調和装置６は、局所空気調和装置６の設定温度とコールドアイル温度センサ１２の検出温度と、に基づいて冷媒回路を制御する。
【００２６】
（冷却動作不能時の送風動作）
次に、局所空気調和装置６が冷却動作を行えない状態での、局所空気調和装置６の送風動作について説明する。
図５は、本発明の実施の形態２に係る空気調和システムの、冷却動作不能時の送風動作の制御フローを示す図である。図５に示されるように、局所空気調和装置６は、冷却動作が行えなくなると、Ｓ２０１に進み、吸込温度センサ６ｄの検出温度Ｔｉｎとコールドアイル温度センサ１２の検出温度Ｔｃａとの偏差ΔＴを演算し、Ｓ２０２に進む。
【００２７】
局所空気調和装置６は、Ｓ２０２において、偏差ΔＴが、予め設定された基準温度Ｙ℃（例えば５℃）を超えるか否かを判定し、超える場合は、Ｓ２０３に進んで送風機６ｂを停止させ、Ｓ２０１に進む。超えない場合は、Ｓ２０４に進んで送風機６ｂを稼働させ、Ｓ２０１に進む。基準温度Ｙ℃は、棚４に格納される情報通信機器３の耐熱温度に応じて設定されるとよい。
【００２８】
＜空気調和システムの作用＞
以下に、実施の形態２に係る空気調和システムの作用について説明する。
空気調和システム１１は、局所空気調和装置６が冷却動作を行えない際に、ホットアイル９から局所空気調和装置６に吸い込まれる空気によって、コールドアイル８の空気の温度が大きく上昇してしまう場合には、局所空気調和装置６からコールドアイル８へ冷却されない空気を吹き込まない。そのため、コールドアイル８の空気の温度が上昇することが抑制され、高温の空気が情報通信機器３に供給されてしまって、情報通信機器３の劣化、故障等が生じることが抑制される。
【００２９】
また、空気調和システム１１は、局所空気調和装置６が冷却動作を行えない際に、ホットアイル９から局所空気調和装置６に吸い込まれる空気によって、コールドアイル８の空気の温度が大きく上昇しない場合には、局所空気調和装置６からコールドアイル８へ冷却されない空気を吹き込む。そのため、コールドアイル８内の空気の量が減少して、情報通信機器３に供給される空気の量が減少する、つまり、情報通信機器３の放熱量が低下することが抑制され、情報通信機器３の劣化、故障等が生じることが抑制される。
【００３０】
また、空気調和システム１１では、吸込温度センサ６ｄの検出温度Ｔｉｎとコールドアイル温度センサ１２の検出温度Ｔｃａとの偏差ΔＴに基づいて送風動作が制御されるため、例えば、送風動作が停止された状態で、コールドアイル８の空気の温度が上昇するような場合に、送風動作を再開することができ、情報通信機器３の劣化、故障等が生じることが抑制される。
【００３１】
＜変形例＞
空気調和システム１１では、局所空気調和装置６が、偏差ΔＴに応じて、送風動作の稼働と停止、つまりＯＮ／ＯＦＦを制御しているが、偏差ΔＴが大きい程、送風機６ｂの回転数が低くなるように、送風動作を制御してもよい。そのような場合には、送風機６ｂの回転数が、連続的に変化されてもよく、階段状に変化されてもよい。
【００３２】
空気調和システム１１では、局所空気調和装置６が、吸込温度センサ６ｄの検出温度Ｔｉｎとコールドアイル温度センサ１２の検出温度Ｔｃａとの偏差ΔＴのみを演算しているが、更に、吸込温度センサ６ｄの検出温度Ｔｉｎと局所空気調和装置６の設定温度Ｔｉｃｍとの偏差ΔＴを演算し、例えば、大きい方の偏差ΔＴを選択する、両方の偏差ΔＴの平均値を求める等、両方の偏差ΔＴに基づいて、送風動作を制御してもよい。
【００３３】
実施の形態３．
実施の形態３に係る空気調和システムについて説明する。なお、以下では、実施の形態１及び実施の形態２に係る空気調和システムと重複又は類似する説明については、適宜簡略化又は省略している。
＜空気調和システムの構成＞
以下に、実施の形態３に係る空気調和システムの構成について説明する。
図６は、本発明の実施の形態３に係る空気調和システムの、構成を示す図である。図６に示されるように、空気調和システム１３は、１つの局所空気調和装置６から複数のコールドアイル８ａ、８ｂに、ダクト１０を介して、冷却された空気を供給する。複数のコールドアイル８ａ、８ｂのそれぞれには、コールドアイル温度センサ１２ａ、１２ｂが設けられる。
【００３４】
局所空気調和装置６は、複数のコールドアイル温度センサ１２ａ、１２ｂから、複数のコールドアイル８ａ、８ｂのそれぞれの空気の温度を取得する。ダクト１０には、複数のコールドアイル８ａ、８ｂのそれぞれに対応するように、複数のダンパー１４ａ、１４ｂが設けられる。制御装置２０は、局所空気調和装置６が送風動作を行う際に、空気の複数のコールドアイル８ａ、８ｂのそれぞれへの供給量、つまり、複数のダンパー１４ａ、１４ｂのそれぞれの開度を制御する。なお、図６では、制御装置２０が、部屋２に設けられる場合を示しているが、制御装置２０が、例えば、局所空気調和装置６等、部屋２以外に設けられてもよい。
【００３５】
＜空気調和システムの動作＞
以下に、実施の形態３に係る空気調和システムの動作について説明する。
（通常動作）
まず、通常動作について説明する。
局所空気調和装置６は、局所空気調和装置６の設定温度と複数のコールドアイル温度センサ１２ａ、１２ｂの検出温度と、に基づいて冷媒回路を制御する。複数のコールドアイル温度センサ１２ａ、１２ｂの検出温度のうちの最も高い検出温度を用いてもよく、それらの平均値を用いてもよい。
【００３６】
（冷却動作不能時の送風動作）
次に、局所空気調和装置６が冷却動作を行えない状態での、局所空気調和装置６の送風動作について説明する。
図７は、本発明の実施の形態３に係る空気調和システムの、冷却動作不能時の送風動作の制御フローを示す図である。図７に示されるように、局所空気調和装置６は、冷却動作が行えなくなると、Ｓ３０１に進み、吸込温度センサ６ｄの検出温度Ｔｉｎとコールドアイル温度センサ１２ａの検出温度Ｔｃａ１との偏差ΔＴ１を演算し、Ｓ３０２に進み、吸込温度センサ６ｄの検出温度Ｔｉｎとコールドアイル温度センサ１２ｂの検出温度Ｔｃａ２との偏差ΔＴ２を演算し、Ｓ３０３に進む。
【００３７】
局所空気調和装置６は、Ｓ３０３において、偏差ΔＴ１が、予め設定された基準温度Ｚａ℃（例えば５℃）を超えるか否かを判定し、超える場合は、Ｓ３０４に進んでダンパー１４ａを閉止状態にするよう制御装置２０に指令を送信し、Ｓ３０５に進む。超えない場合は、Ｓ３１０に進んでダンパー１４ａを開放状態にするよう制御装置２０に指令を送信し、Ｓ３１１に進んで送風機６ｂを稼働させ、Ｓ３１２に進む。基準温度Ｚａ℃は、コールドアイル８ａを形成する棚４に格納される情報通信機器３の耐熱温度に応じて設定されるとよい。
【００３８】
局所空気調和装置６は、Ｓ３０５において、偏差ΔＴ２が、予め設定された基準温度Ｚｂ℃（例えば５℃）を超えるか否かを判定し、超える場合は、Ｓ３０６に進んでダンパー１４ｂを閉止状態にするよう制御装置２０に指令を送信し、Ｓ３０７に進んで送風機６ｂを停止させ、Ｓ３０１に進む。超えない場合は、Ｓ３０８に進んでダンパー１４ｂを開放状態にするよう制御装置２０に指令を送信し、Ｓ３０９に進んで送風機６ｂを稼働させ、Ｓ３０１に進む。基準温度Ｚｂ℃は、コールドアイル８ｂを形成する棚４に格納される情報通信機器３の耐熱温度に応じて設定されるとよい。コールドアイル８ａを形成する棚４に格納される情報通信機器３の耐熱温度と、コールドアイル８ｂを形成する棚４に格納される情報通信機器３の耐熱温度と、が互いに異なる場合には、基準温度Ｚａ℃と基準温度Ｚｂ℃とは、互いに異なる温度に設定される。
【００３９】
局所空気調和装置６は、Ｓ３１２において、偏差ΔＴ２が、予め設定された基準温度Ｚｂ℃（例えば５℃）を超えるか否かを判定し、超える場合は、Ｓ３１３に進んでダンパー１４ｂを閉止状態にするよう制御装置２０に指令を送信し、Ｓ３０１に進む。超えない場合は、Ｓ３１４に進んでダンパー１４ｂを開放状態にするよう制御装置２０に指令を送信し、Ｓ３０１に進む。
【００４０】
＜空気調和システムの作用＞
以下に、実施の形態３に係る空気調和システムの作用について説明する。
空気調和システム１３のように、１つの局所空気調和装置６から複数のコールドアイル８ａ、８ｂに冷却された空気が供給される場合でも、制御装置２０が複数のダンパー１４ａ、１４ｂの開度を制御することで、冷却されない空気の複数のコールドアイル８ａ、８ｂのそれぞれへの供給量が制御され、情報通信機器３の劣化、故障等が生じることが抑制される。
【００４１】
＜変形例＞
空気調和システム１３では、局所空気調和装置６が、偏差ΔＴ１、ΔＴ２に応じて、送風動作の稼働と停止、つまりＯＮ／ＯＦＦと、複数のダンパー１４ａ、１４ｂの開放と閉止、つまり開／閉と、を制御しているが、偏差ΔＴ１、ΔＴ２が大きい程、送風機６ｂの回転数が低くなり、また、複数のダンパー１４ａ、１４ｂの開度が小さくなるように、送風動作を制御してもよい。そのような場合には、送風機６ｂの回転数と複数のダンパー１４ａ、１４ｂの開度とが、連続的に変化されてもよく、階段状に変化されてもよい。
【００４２】
空気調和システム１３では、局所空気調和装置６が、吸込温度センサ６ｄの検出温度Ｔｉｎとコールドアイル温度センサ１２ａ、１２ｂの検出温度Ｔｃａ１、Ｔｃａ２との偏差ΔＴ１、ΔＴ２のみを演算しているが、更に、吸込温度センサ６ｄの検出温度Ｔｉｎと局所空気調和装置６の設定温度Ｔｉｃｍとの偏差ΔＴを演算し、例えば、偏差ΔＴ１又は偏差ΔＴ２と、偏差ΔＴとのうちの、大きい方を選択する、偏差ΔＴ１又は偏差ΔＴ２と、偏差ΔＴとから、平均値を求める等、偏差ΔＴ１又は偏差ΔＴ２と、偏差ΔＴとに基づいて、送風動作を制御してもよい。
【００４３】
以上、実施の形態１、実施の形態２、及び実施の形態３について説明したが、本発明は各実施の形態の説明に限定されない。例えば、各実施の形態、各変形例等を組み合わせることも可能である。
【符号の説明】
【００４４】
１、１１、１３  空気調和システム、２  部屋、２ａ  床パネル、３  情報通信機器、４  棚、５  アンビエント空気調和装置、６  局所空気調和装置、５ａ、６ａ  蒸発器、５ｂ、６ｂ  送風機、５ｃ、６ｃ  吹出温度センサ、５ｄ、６ｄ  吸込温度センサ、６ｅ  制御装置、７  二重床空間、８、８ａ、８ｂ  コールドアイル、９  ホットアイル、１０  ダクト、１２、１２ａ、１２ｂ  コールドアイル温度センサ、１４ａ、１４ｂ  ダンパー、２０  制御装置。
【図１】
2014142106.tif 000003
【図２】
2014142106.tif 000004
【図３】
2014142106.tif 000005
【図４】
2014142106.tif 000006
【図５】
2014142106.tif 000007
【図６】
2014142106.tif 000008
【図７】
2014142106.tif 000009